(57)【特許請求の範囲】
【請求項１】
移動局と通信する機能を有する無線補聴器であって、
前記移動局に信号を送信しまた前記移動局から信号を受信するための近距離無線トランシーバと、
前記近距離無線トランシーバの入力に結合してユーザからのオーディオ信号を前記近距離無線トランシーバに伝えるためのマイクロホンと、
前記近距離無線トランシーバの出力に結合して前記近距離無線トランシーバで受信した出力オーディオ信号を前記ユーザに放出するためのスピーカと、
前記マイクロホンおよび前記近距離無線トランシーバに接続して前記入力オーディオ信号からの妨害信号を抑制するための妨害抑制回路と、
近距離無線トランシーバに接続するコントローラであって、前記移動局と相互に情報を交換することにより前記無線補聴器内の妨害抑制回路のための１つ以上の動作パラメータを決定する、コントローラと、
を備え、
前記コントローラは前記移動局と更に相互に情報を交換することにより、前記移動局内のオーディオ処理回路と妨害抑制回路の少なくとも一方のための１つ以上の動作パラメータを決定し、
移動局が移動局内の妨害抑制回路をバイパスする機能を有するかどうかを前記コントローラが判定し、前記相互に情報を交換したことにより前記移動局が前記妨害抑制回路内の限られた数の要素をバイパスすることを決定する、無線補聴器。
【請求項２】
移動局に適合するローカル無線装置であって、
近距離無線網を介して前記移動局と情報信号を通信するための近距離無線トランシーバと、
前記近距離無線トランシーバの出力に接続して前記近距離無線トランシーバで受信した出力オーディオ信号を前記ユーザに放出するためのスピーカと、
前記近距離無線トランシーバの入力に接続して入力オーディオ信号を前記近距離無線トランシーバに伝えるためのマイクロホン装置と、
前記マイクロホン装置と前記近距離無線トランシーバとの間に接続して前記入力オーディオ信号からの音響エコー信号を抑制するための音響エコー抑制回路と、
近距離無線トランシーバに接続するコントローラであって、前記移動局と相互に情報を交換することにより前記ローカル無線装置内の音響エコー抑制回路のための１つ以上の動作パラメータを決定する、コントローラと、
を備え
前記コントローラは前記移動局と相互に情報を交換することにより、前記移動局内のオーディオ処理回路と妨害抑制回路の少なくとも一方のための１つ以上の動作パラメータを更に決定し、
移動局が移動局内の妨害抑制回路をバイパスする機能を有するかどうかを前記コントローラが判定し、前記相互に情報を交換したことにより前記移動局が前記妨害抑制回路内の限られた数の要素をバイパスすることを決定する、ローカル無線装置。
【請求項３】
移動局に適合するローカル無線装置であって、
近距離無線網を介して前記移動局と情報信号を通信するための近距離無線トランシーバと、
前記近距離無線トランシーバの出力に接続して出力オーディオ信号をユーザに放出するためのスピーカと、
前記近距離無線トランシーバの入力に接続してユーザからの入力オーディオ信号を前記近距離無線トランシーバに伝えるための少なくとも１つのマイクロホンと、
前記少なくとも１つのマイクロホンと前記近距離無線トランシーバとの間に接続して前記入力オーディオ信号からの妨害信号を抑制するための妨害抑制回路であって、前記近距離無線トランシーバに結合するコントローラは前記移動局と相互に情報を交換することにより前記妨害抑制回路の特性を決定する、妨害抑制回路と、
を備え、
前記コントローラは前記移動局と更に相互に情報を交換することにより、前記移動局内のオーディオ処理回路および妨害抑制回路の少なくとも一方のための動作パラメータを決定し、
移動局が移動局内の前記オーディオ処理回路および前記妨害抑制回路をバイパスする機能を有するかどうかを前記コントローラが判定し、前記相互に情報を交換したことにより前記移動局が前記オーディオ処理回路および前記妨害抑制回路内の限られた数の要素をバイパスすることを決定する、ローカル無線装置。
【発明の詳細な説明】
【技術分野】
【０００１】
本発明は一般に移動局と通信するローカル無線装置に関するものであって、より特定すると、近距離アドホック（ａｄ  ｈｏｃ）無線網を介して移動局と通信する補聴器に関するものである。
【背景技術】
【０００２】
携帯電話やパーソナル・データ・アシスタント（ＰＡＤ）などの移動局の人気は年毎に高まっている。この傾向を保つために、メーカは移動局を多くの人々に魅力あるものにする方法を絶えず探索している。注目される１つの領域は無線ヘッドセットなどのローカル無線装置を近端移動局と共に用いることである。
【０００３】
現在の無線ヘッドセットはマイクロホン信号を近距離無線網に適合する信号に変換し、この処理された信号を、近距離無線網を介して近端移動局に送信する。同様に、無線ヘッドセットは近端移動局から受信した信号を無線ヘッドセット内のスピーカに適合する信号に変換する。現在の無線ヘッドセットはこれ以上の処理を含まない。そのため、近端移動局が音響エコーおよび/または環境雑音の抑制などの全ての妨害処理を行う。音響エコーや環境雑音の源は無線ヘッドセット内にあるので、近端移動局が行う雑音抑制は不十分であり、望ましくない雑音を遠端ユーザに送信してしまう。
【発明の開示】
【発明が解決しようとする課題】
【０００４】
注目される別の領域は聴覚障害者が移動局を使用することに関係する。現在の補聴器は低電力受信機を備える。これは一般に背景雑音や、移動局から放射される電磁妨害（ＥＭＩ）（特に移動局が補聴器の近くにあるときに顕著である）を拾う。かかる問題は高利得の補聴器の場合に特に不都合である。なぜなら、補聴器の利得が高いほど、補聴器は妨害を受けるからである。補聴器と移動局との間の妨害の問題は周知であり、ポール・デント（Ｐａｕｌ  Ｄｅｎｔ）他の米国特許第６，１２２，５００号に詳細に述べられている。この特許の内容をここに引用する。そのため、望ましくない妨害を生じることなく１つ以上の移動局と対話することのできる補聴器を提供することが望ましい。
【０００５】
この問題の１つの解決方法は、補聴器と移動局との間に近距離通信リンクを提供するブルートゥース（登録商標）網などの近距離無線網を用いることである。ブルートゥース（登録商標）は、２つ以上の無線装置が近距離アドホック網を介して無線で通信することを可能にする汎用無線インターフェースである。ブルートゥース（登録商標）は、ポーリングに基づく通信基盤を用いて無線装置の間にディジタル・データを伝送する。ジャプ・ハルトセン（Ｊａａｐ  Ｈａａｒｔｓｅｎ）はエリクソン・レビュー、Ｎｏ．３、１９９８に「ブルートゥース（登録商標）−−アドホック無線接続のための汎用無線インターフェース（Ｂｌｕｅｔｏｏｔｈ（登録商標）−−Ｔｈｅ  Ｕｎｉｖｅｒｓａｌ  Ｒａｄｉｏ  Ｉｎｔｅｒｆａｃｅ  ｆｏｒ  ａｄ  ｈｏｃ，ｗｉｒｅｌｅｓｓ  ｃｏｎｎｅｃｔｉｖｉｔｙ）」と題してブルートゥース（登録商標）技術に関して詳細に述べている。この論文をここに引用する。ブルートゥース（登録商標）は補聴器と移動局との間の通信を可能にすると共にこの２つの無線装置の間に物理的距離を与えるので、補聴器と移動局との間の望ましくない妨害が少なくなり、および/または防がれる。
【０００６】
これに応じて、本発明の１つの実施の形態は、無線ヘッドセット内で更なる処理を加えて、近距離無線網内で通信する無線装置の間の雑音抑制を改善する。無線ヘッドセットの１つの実施の形態は、望ましくない妨害を受けることなく聴覚障害者が無線装置を用いることができるようにする補聴器を備えてよい。
【課題を解決するための手段】
【０００７】
本発明は、近距離無線網により移動局と通信する無線ヘッドセットなどのローカル無線装置内での妨害抑制処理を改善するための方法および装置に関係する。ローカル無線装置および移動局は、近距離無線網を介して情報信号を伝えるための近距離無線トランシーバをそれぞれ含む。また、ローカル無線装置および移動局は共に、入力オーディオ信号を受信するマイクロホン装置と、出力オーディオ信号をローカル・ユーザに放出するスピーカとを含む。ローカル無線装置は、入力オーディオ信号からの妨害信号（音響エコーおよび/または環境雑音など）を抑制するための妨害抑制回路（ＩＳＣ）（音響エコー・キャンセラおよび/または雑音抑制器など）を含む。また例示的なローカル無線装置は、出力オーディオ信号を処理する１つ以上のオーディオ・プロセッサを含む。オーディオ・プロセッサは、等化器、リミッタ、および/または自動レベル制御手段を含んでよい。
【０００８】
移動局もオーディオ・プロセッサおよびＩＳＣを含む。また移動局は、移動局が近距離無線網を介してローカル無線装置と通信するときに移動局のオーディオ・プロセッサおよび/またはＩＳＣ内の要素の１つ以上をバイパスするための１つ以上の開閉回路を含んでよい。一般に、ローカル無線装置と移動局との間に近距離無線網が確立されると、ローカル無線装置と移動局とは１つ以上の近距離無線網プロフィールを取り決めてよい。かかるプロフィールは、移動局のオーディオ・プロセッサおよび/またはＩＳＣのどの要素（もしあれば）をバイパスするかを決めてよい。またかかるプロフィールは、入力および出力信号と移動局の遠隔網とをインターフェースするのに用いられる音響処理パラメータを定義してよい。移動局は、取り決められたプロフィールに基づいて１つ以上の開閉回路および/または音響処理パラメータを制御してよい。
【０００９】
本発明の１つの実施の形態では、ローカル無線装置は補聴器を含む。補聴器は近距離無線トランシーバ電子回路に接続されたマイクロホンおよびスピーカを含んでよい。または、ローカル無線装置は、通信モードのときに補聴器のスピーカおよびマイクロホンをローカル無線装置内の近距離無線トランシーバ電子回路に接続するための開閉回路を含んでよい。また、移動局内およびローカル無線装置内の開閉回路は音響処理定数のプロフィールを直列に切り換えてよい。補聴器モードのとき、開閉回路は近距離無線トランシーバ電子回路からスピーカおよびマイクロホンへの接続を切り離してよい。
【実施例】
【００１０】
図１は従来のローカル無線装置１００を示す。これは、ＲＦ信号を処理し、送信し、受信するための、オーディオ処理回路１１０および無線インターフェース１２０（ブルートゥース（登録商標）インターフェースなど）を含む。オーディオ処理回路１１０は基本的なオーディオ出力をスピーカ１３０に与え、オーディオ入力をマイクロホン１４０から受信する。図１に示すように、マイクロホン１４０は、近端ユーザからの音声信号や、スピーカ１３０からのエコー信号や、環境からの雑音などの、種々の外部オーディオ信号を検出する。
【００１１】
ローカル無線装置１００は近距離無線網を介して近くの移動局２００と情報を通信する。遠隔の遠端ユーザに音声信号だけを送信するのが望ましいので、一般に移動局２００は、上に述べた音響エコーおよび/または環境雑音を抑制するための妨害抑制プロセッサ（図示しない）を含む。共に譲渡された米国特許第６，１４８，０７８号、第６，１６０，８８６号、第６，５７０，９８５号は例示的なエコーおよび雑音抑制技術を提供しており、これらをここに引用する。妨害消去技術は周知であるから、ここではこれ以上説明しない。
【００１２】
図２は本発明に係る近距離アドホック無線システム３００の一例を示す。近距離無線システム３００はブルートゥース（登録商標）装置３１０などのローカル無線装置と移動局３５０とを含む。ブルートゥース（登録商標）装置３１０はブルートゥース（登録商標）ヘッドセットを備えてよい。近距離アドホック無線網を示すのに本出願は「ブルートゥース（登録商標）網」という用語を用いるが、当業者が認識するように、本発明はブルートゥース（登録商標）網に限定されるものではなく、任意の近距離無線網に適用することができる。またここで用いる移動局３５０は１つ以上の無線装置（図３に示すような携帯電話、パーソナル・データ・アシスタント(ＰＤＡ)、無線トランシーバを持つ従来のラップトップまたはパームトップなど）、または無線通信が可能な任意の他の装置を含んでよい。また当業者が認識するように、２つ以上の遠隔のブルートゥース（登録商標）装置３１０が単一の移動局３５０と通信してよい。
【００１３】
移動局３５０は情報信号を送信および受信するためのセルラ・トランシーバ３６０を含む。トランシーバ３６０は、ＧＳＭ、ＴＩＡ／ＥＩＡ−１３６、ｃｄｍａＯｎｅ、ＩＳ−９５、ｃｄｍａ２０００、ＵＭＴＳ、広帯域ＣＤＭＡなどを含む任意の周知の標準に従って動作してよい。マイクロホン３６２は入力信号経路を介してトランシーバ３６０に結合し、スピーカ３５２は出力信号経路を介してトランシーバ３６０に結合する。入力信号経路は、マイクロホン３６２、アナログ・ディジタル変換器（ＡＤＣ）３６４、妨害消去ディジタル信号処理プロセッサ（ＤＳＰ）３６６、開閉器３６８を含む。出力信号経路は、オーディオ・プロセッサ３５８、開閉器３５６、ディジタル・アナログ変換器（ＤＡＣ）３５４、スピーカ３５２を含む。
【００１４】
移動局３５０は更に、ブルートゥース（登録商標）モジュール３７０などの近距離無線網モジュール、コントローラ３７２、メモリ３７４を含む。コントローラ３７２は、望ましい動作モードに基づいて開閉器３５６および３６８を作動させ、またブルートゥース（登録商標）モジュール３７０を制御する。最初の準備中に定義された取り決められたブルートゥース（登録商標）プロフィールは望ましい動作モードを決定する。移動局３５０の動作に必要なコンピュータ・プログラム命令およびデータはメモリ３７４に記憶される。メモリ３７４は移動局３５０内のメモリの全階層構造を表し、ランダム・アクセス・メモリ（ＲＡＭ）とリード・オンリー・メモリ（ＲＯＭ）とを共に含んでよい。ブルートゥース（登録商標）モジュール３７０、コントローラ３７２、メモリ３７４は別個の素子として図示されているが、当業者が認識するように、かかる素子の１つ以上をＡＳＩＣなどの１つ以上のプログラム可能な素子内に組み込んでよい。
【００１５】
移動局３５０は通常モードかまたはローカル無線モードで動作する。移動局３５０が通常モードで動作するとき、開閉器３６８は妨害消去ＤＳＰ３６６の出力をトランシーバ３６０の入力に接続し、開閉器３５６はオーディオ・プロセッサ３５８の出力をＤＡＣ３５４の入力に接続する。ＡＤＣ３６４はマイクロホン３６２で受信したアナログ・オーディオ信号をディジタル・オーディオ信号に変換する。次に妨害消去ＤＳＰ３６６はディジタル化されたオーディオ信号を処理して、この技術で周知の妨害消去技術に従って音響エコーおよび/または環境雑音などの妨害を抑制する。妨害が抑制された信号はトランシーバ３６０を介して遠隔の遠端ユーザに送信される。等化器（ＥＱ）、リミッタ（ＬＩＭ）および/または自動レベル・コントローラ（ＡＬＣ）を含むオーディオ・プロセッサ３５８は、トランシーバ３６０を介して遠隔の遠端ユーザから受信したオーディオ情報をこの技術で周知の方法で処理する。ＤＡＣ３５４は処理されたディジタル信号を出力アナログ・オーディオ信号に変換し、スピーカ３５２はアナログ信号をローカル近端ユーザに放出する。
【００１６】
移動局３５０がローカル無線モードで動作するとき、開閉器３６８はブルートゥース（登録商標）モジュール３７０をトランシーバ３６０に接続し、開閉器３５６はオーディオ・プロセッサ３５８の出力をブルートゥース（登録商標）モジュール３７０の入力に接続する。ローカル無線モードでは、移動局３５０はブルートゥース（登録商標）モジュール３７０を介して移動局３５０からの情報をブルートゥース（登録商標）装置３１０に送信する。また移動局３５０は、ブルートゥース（登録商標）装置３１０からの情報（取り決められた音響処理定数など）を従来のブルートゥース（登録商標）プロトコルおよび取り決められたプロフィールによりブルートゥース（登録商標）モジュール３７０で受信する。これについては後で更に説明する。
【００１７】
ブルートゥース（登録商標）装置３１０は、スピーカ３１２、ディジタル・アナログ変換器（ＤＡＣ）３１４、マイクロホン装置３２０、妨害消去ＤＳＰ３３０、近距離無線網モジュール（ブルートゥース（登録商標）モジュール３４０など）を含む。ブルートゥース（登録商標）装置３１０はブルートゥース（登録商標）モジュール３４０を制御するためのコントローラ３４２およびメモリ３４４も含む。コントローラ３４２は望ましい動作モードに基づいてブルートゥース（登録商標）モジュール３４０を制御する。最初の準備中に定義された取り決められたブルートゥース（登録商標）プロフィールは、望ましい動作モードを決定し、および/またはローカル無線妨害消去ＤＳＰ３３０内の妨害抑制パラメータを設定し、および/または移動局の無線妨害消去ＤＳＰ３６６またはオーディオ・プロセッサ３５８の妨害抑制パラメータを定義してよい。また、コントローラ３４２は開閉器３１８，３２２（図８）を作動させてよい。移動局３５０内のメモリ３７４と同様に、メモリ３４４はブルートゥース（登録商標）装置３１０の動作に必要なコンピュータ・プログラム命令およびデータを記憶する。メモリ３４４は移動局３５０内のメモリの全階層構造を表し、ランダム・アクセス・メモリ（ＲＡＭ）とリード・オンリー・メモリ（ＲＯＭ）とを共に含んでよい。遠隔ブルートゥース（登録商標）モジュール３４０、コントローラ３４２、メモリ３４４は別個の素子として図示されているが、当業者が認識するように、かかる素子の１つ以上をＡＳＩＣなどの１つ以上のプログラム可能な素子内に組み込んでよい。また当業者が認識するように、ブルートゥース（登録商標）装置３１０は、無線ヘッドセットまたは任意の他の近距離無線装置（近距離無線網を介してユーザと移動局３５０との間でオーディオ信号を送信し／受信することのできるもの）を含んでよい。
【００１８】
当業者がよく理解しているように、遠隔ブルートゥース（登録商標）モジュール３４０は近くの移動局３５０からディジタル信号を受信し、ＤＡＣ３１４でディジタル信号をアナログ・オーディオ信号に変換する。スピーカ３１２はアナログ・オーディオ信号を近端ユーザに出力する。マイクロホン装置３２０は少なくとも１つのマイクロホン３２２とこれに対応するＡＤＣ３２４とを含む。マイクロホン３２２が受信したアナログ・オーディオ信号はＡＤＣ３２４でディジタル信号に変換される。次にディジタル信号は妨害消去ＤＳＰ３３０で処理される。図４に示すように、妨害消去ＤＳＰ３３０は、音響エコー・キャンセラ３３２および/または雑音抑制器３３４などの、任意の数の妨害消去プロセッサを含んでよい。妨害消去ＤＳＰ３３０はマイクロホン装置３２０からの入力オーディオ信号とブルートゥース（登録商標）モジュール３４０からの出力オーディオ信号とを受信して、従来の周知の抑制技術に従って音響エコーおよび/または環境雑音を抑制する。エコーおよび/または雑音が抑制された信号は、遠隔の遠端ユーザに送信するためにブルートゥース（登録商標）モジュール３４０を介して移動局３５０に送信される。
【００１９】
本発明では、ブルートゥース（登録商標）装置３１０は移動局３５０と１つ以上の近距離無線網プロフィールを取り決めてよい。かかる取決めは、移動局の妨害消去ＤＳＰ３６６と移動局のオーディオ・プロセッサ３５８の１つ以上の特性、および/またはブルートゥース（登録商標）装置の妨害消去ＤＳＰ３３０の１つ以上の特性を決定してよい。ブルートゥース（登録商標）装置３１０または移動局３５０のどちらかがかかる取決めを開始してよい。或る例示的な実施の形態では、ブルートゥース（登録商標）装置３１０が取決めを開始する。その結果、通常のブルートゥース（登録商標）装置３１０と移動局との適合性が最大になる。取決め中に用いられるプロトコルは、ブルートゥース（登録商標）仕様に定義されている注意（ＡＴ）コマンドに基づいてよい。このシナリオでは、設計者は既存のコマンドを変えるか、または新しいコマンドを作成してよい。または、ブルートゥース（登録商標）装置３１０および移動局３５０は所有権を主張できるプロトコルを用いてよい。いずれにしても、本発明の取り決められたプロフィールは一般に全ての標準のブルートゥース（登録商標）取決め（ｎｅｇｏｔｉａｔｉｏｎｓ）の後に行ってよい。
【００２０】
取決め中に、ブルートゥース（登録商標）装置３１０は、移動局３５０が移動局３５０内の妨害消去ＤＳＰ３６６をバイパスする機能を有するかどうか判定する。また、ブルートゥース（登録商標）装置３１０はプロフィール取決めから妨害抑制パラメータも確立してよい。移動局３５０が妨害消去ＤＳＰ３６６をバイパスすることができる場合は、移動局３５０はバイパスを準備して妨害消去ＤＳＰ３６６を非活動化して、移動局３５０内の電力を節約しまた処理の繰り返しを避ける。移動局が妨害消去ＤＳＰ３６６のパラメータを変えることができる場合は、移動局３５０は妨害消去ＤＳＰ３６６のパラメータを変更する。図示してはいないが、これも当業者が認識するように、取決めは、移動局３５０が妨害消去ＤＳＰ３６６内の限られた数の要素（雑音抑制器またはエコー・キャンセラなど）だけをバイパスしてよいことを決定してよい。
【００２１】
妨害消去の性能を高めるために、或る妨害消去技術は複数のマイクロホン３２２を用いる。図５に示すように、ブルートゥース（登録商標）装置３１０内のマイクロホン装置３２０は複数のマイクロホン３２２1，．．．，３２２Nを含んでよい。各マイクロホン３２２1，．．．，３２２Nからのアナログ・オーディオ信号は各対応する複数のＡＤＣ３２４1，．．．，３２４Nでディジタル信号に変換される。各ディジタル・オーディオ信号はマイクロホン配列ＤＳＰ３２６で結合され、妨害消去ＤＳＰ３３０のための結合オーディオ信号が従来の周知の技術により作成される。次に妨害消去ＤＳＰ３３０は結合オーディオ信号を処理して、結合オーディオ信号の音響エコーおよび/または環境雑音などの妨害を抑制する。図５に示していないが、当業者が認識するように、移動局３５０はマイクロホン３６２およびＡＤＣ３６４の代わりに、複数のマイクロホン３６２、ＡＤＣ３６４、マイクロホン配列ＤＳＰを含むマイクロホン装置を用いてよい。
【００２２】
図６および図７は本発明に係る別の近距離無線システム３００を示す。図６および図７の移動局３５０の動作は図２の移動局３５０の動作に対応する。しかし上に説明した構成要素に加えて、ローカル・ブルートゥース（登録商標）装置３１０は、移動局３５０内に存在するオーディオ・プロセッサ３５８と同様のオーディオ・プロセッサ３１６も含む。図６で、移動局３５０内のオーディオ・プロセッサ３５８は上に述べたようにトランシーバ３６０で受信したオーディオ信号を処理する。オーディオ・プロセッサ３１６は、ブルートゥース（登録商標）装置３１０内のブルートゥース（登録商標）モジュール３４０で受信した信号を更に処理して、スピーカ３１２から出力される信号品質を高める。
【００２３】
図６に示す構成は電池寿命より信号品質に重きを置いた場合の好ましい構成である。しかし、図７は電池寿命の方に重点を置くユーザのための別の実施の形態を示す。図７で、ブルートゥース（登録商標）装置３１０は図６に示すブルートゥース（登録商標）装置３１０と同じ動作をする。しかし移動局３５０内では、開閉器３５６はオーディオ・プロセッサ３５８の出力からトランシーバ３６０の出力に移されている。この実施の形態では、移動局３５０が通常モードのときは、開閉器３５６はトランシーバ３６０をオーディオ・プロセッサ３５８に接続する。ローカル無線モードのときは、開閉器３５６はオーディオ・プロセッサ３５８をバイパスして、ブルートゥース（登録商標）モジュール３７０をトランシーバ３６０に接続する。その結果、移動局３５０内でオーディオ処理が行われるのは移動局が通常モードで動作中だけである。ローカル無線モードのときは、移動局３５０はオーディオ・プロセッサ３５８を非活動化しかつバイパスすることにより電力を節約する。図示していないが、当業者が認識するように、移動局３５０および/またはブルートゥース（登録商標）装置３１０内に追加の開閉器を設けて、オーディオ・プロセッサ３１６，３５８のＥＱ、ＬＩＭ、ＡＬＣなどの特定の要素を選択的に活動化しまたはバイパスしてよい。
【００２４】
図示していないが、更に認識されるように、開閉器３５６は複数の開閉器を含む開閉回路を含んでよい。適切に配置すると、ユーザは開閉器３５６により、信号品質の優先度が高いときは選択的にオーディオ・プロセッサ３５８を作動させ、電池の節約の優先度が高いときはオーディオ・プロセッサ３５８をバイパスすることができる。
【００２５】
図８は、ブルートゥース（登録商標）装置３１０が補聴器を含む場合の近距離無線システム３００の別の実施の形態を示す。移動局３５０は上に図７で説明した通りに動作するが、認識されるように、前に説明した移動局の全ての実施の形態は図８に示す実施の形態にも適用される。上に説明した実施の形態と同様にブルートゥース（登録商標）補聴器３１０は、上に説明したようにオーディオ信号を受信し／送信し、処理し、出力するためのブルートゥース（登録商標）電子回路を含む。更に、ブルートゥース（登録商標）補聴器３１０はスピーカ３１２とマイクロホン３２２との間に接続する補聴器プロセッサ３４６を含む。補聴器プロセッサはマイクロホン３２２で受信したオーディオ信号をこの技術で周知の方法に従って処理して増幅し、処理されたオーディオ信号をユーザにスピーカ３１２を介して出力する。図８にはブルートゥース（登録商標）補聴器３１０内で補聴器マイクロホンとしてもローカル無線装置マイクロホンとしても動作する単一のマイクロホン３２２だけを示しているが、当業者が認識するように、ブルートゥース（登録商標）補聴器３１０は補聴器マイクロホン３２２とは別個の１つ以上のローカル無線装置マイクロホン３２２を含んでよい。
【００２６】
１つの実施の形態では、ブルートゥース（登録商標）補聴器３１０はマイクロホン３２２およびスピーカ３１２をブルートゥース（登録商標）電子回路に選択的に接続するための開閉回路３１８を含んでよい。補聴器モードのときは、開閉回路３１８はブルートゥース（登録商標）モジュール３４０をスピーカ３１２およびマイクロホン３２２から切り離す。このモードでは、マイクロホン３２２で受信したオーディオ信号は補聴器プロセッサ３４６で処理され、スピーカ３１２を介してユーザに出力される。ブルートゥース（登録商標）モードのときは、開閉回路３１８はスピーカ３１２およびマイクロホン３２２をブルートゥース（登録商標）モジュール３４０に接続する。このモードでは、マイクロホン３２２で受信したオーディオ信号は処理されて移動局３５０に送信され、移動局３５０から送信されたオーディオ信号は上に説明したように受信され、処理され、ユーザに出力される。
【００２７】
認識されるように、図５−８に示す各実施の形態は図２に示す実施の形態に１つの新しい要素を追加している。これも当業者が認識するように、本発明はかかる各要素の１つ以上を近距離無線システム３００のブルートゥース（登録商標）装置３１０および/または移動局３５０内に組み込んでよい。
【００２８】
図９−１１は、上に説明した近距離無線システム３００を用いて呼を送信および受信する方法についての更なる詳細を示す。図９は本発明の近距離無線システム３００を用いて呼を受信する方法を示す。呼を受信する（４０２）と、これに応じて移動局３５０はブルートゥース（登録商標）装置３１０を呼び出す（４０４）。ブルートゥース（登録商標）装置３１０が範囲内にいない場合は（４０６）、処理は終了する（４２６）。しかしブルートゥース（登録商標）装置３１０が範囲内にいる場合は（４０６）、移動局３５０はブルートゥース（登録商標）装置３１０とサービス・レベルのブルートゥース（登録商標）接続を確立する（４０８）。次に、ブルートゥース（登録商標）装置３１０は１つ以上の近距離無線網プロフィールを取り決めて（４１０）、取り決められたプロフィールに基づいてブルートゥース（登録商標）オーディオ接続を確立する（４１２）。
【００２９】
ブルートゥース（登録商標）オーディオ接続が確立されると（４１２）、移動局３５０はユーザが呼に応答するのを待つ（４１４）。ユーザが呼に応答するには、移動局３５０上のボタンを押すか、ブルートゥース（登録商標）装置３１０上のボタンを押すか、ブルートゥース（登録商標）装置３１０を介してオーディオ・コマンドを移動局３５０に送るか、またはこの技術で周知の任意の別の手段を用いてよい。ユーザが呼に応答しない場合は（４１４）、処理は終了する（４２６）。ユーザが呼に応答した場合は（４１４）、近端ユーザと遠端ユーザとの間に網接続が確立され（４１６）、近端ユーザおよび/または遠端ユーザが呼を停止する（４２０）まで無線通信は続く。一方または両方のユーザが呼を停止すると(４２０)、網接続およびブルートゥース（登録商標）リンクは終了し（４２２，４２４）、処理は終了する（４２６）。
【００３０】
図１０−１１は近距離無線システム３００を用いて呼を行う２つの方法を示す。図１０では、呼は移動局３５０で開始される（５０２）。呼を開始するには、移動局３５０のキーパッド上の１つ以上のボタンを押すか、またはこの技術で周知の任意の他の技術を用いてよい。呼が開始されると（５０２）、移動局３５０はブルートゥース（登録商標）装置３１０を呼び出して（５０４）、サービス・レベルのブルートゥース（登録商標）接続を確立する（５０６）。近距離無線網プロフィールを取り決めた（５０８）後、上に説明したように移動局３５０とブルートゥース（登録商標）装置３１０との間にブルートゥース（登録商標）オーディオ接続が確立される（５１０）。遠端ユーザが呼に応答しない場合は（５１２）、ブルートゥース（登録商標）リンクは終了し（５２２）、処理は終わる（５２４）。しかし遠端ユーザが呼に応答した場合は（５１２）、近端ユーザと遠端ユーザとの間に無線網接続が確立され（５１４）。一方または両方のユーザが呼を停止する（５１８）まで、近端ユーザと遠端ユーザとの間に無線通信が行われる（５１６）。一方または両方のユーザが呼を停止すると(５１８)、網接続およびブルートゥース（登録商標）リンクは終了し（５２０，５２２）、処理は終了する（５２４）。
【００３１】
図１１では、オーディオまたは電気コマンドをブルートゥース（登録商標）装置３１０のマイクロホンに与えることにより、ユーザはブルートゥース（登録商標）装置３１０で呼を開始してよい（６０２）。これに応じて、ブルートゥース（登録商標）装置３１０は移動局３５０を呼び出し（６０４）、移動局３５０とサービス・レベルおよびオーディオのブルートゥース（登録商標）接続を確立する（６０６）。近距離無線網プロフィールを取り決めた（６０８）後、移動局３５０は呼を開始する（６１０）。遠端ユーザが呼に応答しない場合は（６１２）、ブルートゥース（登録商標）リンクは終了し（６２２）、処理は終わる（６２４）。しかし遠端ユーザが呼に応答した場合は（６１２）、近端ユーザと遠端ユーザとの間に無線網接続が確立される（６１４）。一方または両方のユーザが呼を停止する（６１８）まで、近端ユーザと遠端ユーザとの間に無線通信が行われる（６１６）。一方または両方のユーザが呼を停止すると(６１８)、無線網接続およびブルートゥース（登録商標）リンクは終了し（６２０，６２２）、処理は終了する（６２４）。
【００３２】
上記は、ローカル移動局と通信するローカル無線装置を用いて単一のローカル・ユーザが遠隔の遠端ユーザに呼を行いまたは受信する場合に関して本発明を説明したものである。しかし本発明はこれに限定されるものではない。例えば、当業者が認識するように、本発明は、ローカル無線装置から発信を開始するのに押して話す（ｐｕｓｈ−ｔｏ−ｔａｌｋ）機構が必要な、ボイス・オーバー・インターネット・プロトコル（ＶＯＩＰ）を用いるシステムに組み込んでよい。このシナリオでは、最初に呼を開始するときにオーディオ処理パラメータを含むプロフィールを取り決めて、呼の間中これを保持する。別の例として、ＧＰＲＳまたは多重ＶＯＩＰなどの多重ユーザ・システムに本発明を組み込んでもよい。認識されるように、このシナリオでは各ローカル無線装置および/または移動局は音響処理パラメータの異なる集合を含んでよい。
【００３３】
もちろん、本発明の本質的な特徴から逸れずに、ここに特定して述べた以外の方法で本発明を行ってよい。これらの種々の実施の形態は全ての点において例示であって制限するものではないと考えるべきであり、クレームの意味および同等の範囲内に収まる全ての変更はその中に含まれるものである。
【図面の簡単な説明】
【００３４】
【図１】従来の無線ヘッドセットのブロック図を示す。
【図２】本発明に係る近距離無線システムの或る実施の形態を示す。
【図３】種々の近距離無線端末とインターフェースする本発明に係る近距離無線ヘッドセットを示す。
【図４】妨害消去ＤＳＰの一例を示す。
【図５】本発明に係る近距離無線システムの別の実施の形態を示す。
【図６】本発明に係る近距離無線システムの別の実施の形態を示す。
【図７】本発明に係る近距離無線システムの別の実施の形態を示す。
【図８】本発明に係る近距離無線システムの別の実施の形態を示す。
【図９】本発明に係る近距離無線システムで呼を受信する方法を示す。
【図１０】本発明に係るブルートゥース（登録商標）システムで呼を行う或る方法を示す。
【図１１】本発明に係るブルートゥース（登録商標）システムで呼を行う別の方法を示す。
【図１】
0005147238.tif 000002
【図２】
0005147238.tif 000003
【図３】
0005147238.tif 000004
【図４】
0005147238.tif 000005
【図５】
0005147238.tif 000006
【図６】
0005147238.tif 000007
【図７】
0005147238.tif 000008
【図８】
0005147238.tif 000009
【図９】
0005147238.tif 000010
【図１０】
0005147238.tif 000011
【図１１】
0005147238.tif 000012